(57)【特許請求の範囲】
【請求項１】
特定の大きさのチチ輪を作るときに使用されるチチ輪結び具であって、
大まかなチチ輪を緩く形成した後、そのチチ輪本体となる環状部と、チチ輪の結び目部分とに、それぞれ引っ掛けられて係止される２つの係止部が設けられている
ことを特徴とするチチ輪結び具。
【請求項２】
前記２つの係止部は、針金状部材が屈曲形成されて形成されている
ことを特徴とする請求項１に記載のチチ輪結び具。
【請求項３】
前記チチ輪結び具は、目盛が付された棒状体と、この棒状体の長手方向に沿ってスライド可能で、棒状体に対して位置決め可能に保持されたスライド部材とを備え、
前記棒状体の先端部と、前記スライド部材とに、前記係止部がそれぞれ設けられている
ことを特徴とする請求項１又は請求項２に記載のチチ輪結び具。
【請求項４】
前記各係止部は、その先端側に行くに従って、前記針金状部材ないし前記棒状体の基部側に向かって所定角度で同方向に傾斜して形成されている
ことを特徴とする請求項２又は請求項３に記載のチチ輪結び具。
【発明の詳細な説明】
【０００１】
【発明の属する技術分野】
この発明は、渓流釣などの各種魚釣り用の仕掛けを作る場合等において、釣糸にチチ輪を作るときに使用されるチチ輪結び具に関するものである。
【０００２】
【従来の技術】
魚釣り用仕掛けにおいて、例えば天井糸と道糸を接続するとき、また道糸とハリスを接続するようなときには、通常釣り人が手作業により、少なくとも一方の釣り糸の端部にチチ輪を作ることで、２つの糸を接続することが行われている。例えば、各糸の端部にそれぞれチチ輪を形成した後、一方のチチ輪を他方のチチ輪に通して、この通した側のチチ輪に同チチ輪を設けた側の糸を通過させて、各チチ輪を締め込むことにより、各糸同士を接続することが行われている。このようなチチ輪による接続は、各糸同士の接続作業を簡単かつ強固に行え、また接続を解除するときにも容易に行えるので、魚釣り仕掛けにおいてはよく用いられている。
【０００３】
【発明が解決しようとする課題】
しかしながら、従来のように手作業によりチチ輪を作る場合、各糸の端部に常に一定径のチチ輪を正確に作ることは困難で、その径の大きさが変わり易い。特に初心者にとっては、所要の大きさのチチ輪を作ることは困難であり、チチ輪の大きさが不揃いになるのを避けられなかった。
【０００４】
そして、各糸の端部に作られるチチ輪の大きさがそれぞれ異なるのでは、これらのチチ輪を介して各糸同士を接続したときに、仕掛け全体の長さが変わったりして正確な長さの仕掛けが得られない不都合があった。しかも、チチ輪の部分は糸が２重構造となるので、チチ輪が大きくなり過ぎると、水中での抵抗が大きくなったり、また釣糸を投げ入れるときのチチ輪の空気抵抗も大きくなる不都合があった。特に渓流釣り等においては、細い径の釣糸が用いられて繊細な仕掛けが用いられるが、せっかく細径の釣糸を用いても、チチ輪の径が大きくなり過ぎたのでは、水や空気の抵抗を受け易く、仕掛けの感度が悪くなってしまうおそれがあった。
【０００５】
本発明は、これらの事情に鑑みてなされたものであり、その主たる目的は、簡単に、チチ輪の大きさを所定大きさに揃えて作ることができるチチ輪結び具を提供することにある。
【０００６】
【課題を解決するための手段】
上記目的を達成するため、本発明のチチ輪結び具は、特定の大きさのチチ輪を作るときに使用されるチチ輪結び具であって、大まかなチチ輪を緩く形成した後、そのチチ輪本体となる環状部と、チチ輪の結び目部分とに、それぞれ引っ掛けられて係止される２つの係止部が設けられていることを基本的構成とする。そして、好ましくは、この構成に加えて、前記２つの係止部は、針金状部材が屈曲形成されて形成されていることを特徴とするチチ輪結び具である。
【０００７】
チチ輪を作るときには、先ず、釣糸を２重に折り返して、この２重糸部分をループ状に折り曲げてクロスさせることで、２重糸の環状体からなる第１環状部と、前記２重糸部分の折り返し部からなる１本の糸で構成された環状体からなる第２環状部とを作る。そして、前記クロスさせた交差部分を固定しつつ第２環状部に対して、第１環状部を一回転ねじった後、第２環状部を第１環状部内を通して外方に引き出す。これにより、この引き出された第２環状部をチチ輪本体として、緩い結び目を有する大まかなチチ輪が形成される。
【０００８】
なお、この作業は、従来通り手作業にて行うことができる他、本発明のチチ輪結び具を用いて行うこともできる。チチ輪結び具を用いて作業する場合は、第２環状部を第１環状部内を通して引き出す際に利用される。すなわち、チチ輪結び具の先端部を前記第１環状部及び第２環状部に差し込んで、その中間の係止部（後述の第２係止部）に第２環状部を引っ掛けて係止させて引き戻すことで、第１環状部から第２環状部を通して引き出すのに利用することができる。
【０００９】
次に、以上のようにして得られた大まかなチチ輪の緩い結び目をチチ輪結び具の一方の係止部（第１係止部）に、また第２環状部を他方の係止部（第２係止部）にそれぞれ係止させた状態で、緩い結び目の外方に位置する糸を引っ張ることで、第１係止部に係止された緩い結び目を強く締め込む。この後、各係止部から釣糸の全体を取り外す。
【００１０】
これにより、二つ折りして偏平にしたときの寸法が各係止部間の長さに相当する環状部（チチ輪本体）と、この環状部の周方向の一部に形成された堅い結び目とを有するチチ輪が形成される。このようにしてチチ輪を作ることにより、必要とする所定の大きさのチチ輪を常に安定して、正確に且つ簡単に作ることができる。なお、各係止部間の長さが異なる複数種類の結び具を用意することにより、各種の魚釣り用仕掛けに最適な径のチチ輪を正確に簡単に作ることができる。
【００１１】
そして、このように必要とする所定の大きさのチチ輪を糸の端部に形成して、このチチ輪を介して各糸同士を接続することにより、釣り人が希望する所定長さの仕掛けを正確に作ることができる。また、糸が２重構造となってしまうチチ輪の部分を必要最小限に抑えることができるので、仕掛けを水中に投げ入れる際の空気抵抗や、水中での水の抵抗が必要以上に大きくなることがない。このため、感度の良い仕掛けが作れる。
【００１２】
また、本発明のチチ輪結び具は、前記基本的構成に加えて、前記チチ輪結び具は、目盛が付された棒状体と、この棒状体の長手方向に沿ってスライド可能で、棒状体に対して位置決め可能に保持されたスライド部材とを備え、前記棒状体の先端部と、前記スライド部材とに、前記係止部がそれぞれ設けられていることを特徴とするものであってもよい。
【００１３】
この構成のチチ輪結び具の場合も、常に同じ大きさのチチ輪を正確に簡単に作ることができるが、この結び具によれば、チチ輪の大きさを変更するのが容易である。すなわち、棒状体に付された目盛を確認しながらスライド部材を摺動させ、棒状体とスライド部材にそれぞれ設けた係止部間の長さを希望するチチ輪の大きさに調整して、スライド部材を棒状体に固定して使用することで、製作されるチチ輪の大きさを容易に変更することができる。よって、各係止部間の長さが異なる複数種類の結び具を用意することなく、１つの結び具だけで各種の魚釣り用仕掛けに最適な径のチチ輪を正確に且つ簡単に作ることができる。
【００１４】
ところで、前記各係止部は、その先端側に行くに従って、前記針金状部材ないし前記棒状体の基部側に向かって所定角度で同方向に傾斜して形成するのがよい。この構成によれば、前記第１係止部に大まかなチチ輪の緩い結び目を、また前記第２係止部に第２環状部をそれぞれ係止した状態で、緩い結び目の外方に位置する糸を外方に引っ張って、緩い結び目を強く締め込むときに、糸が滑らずに締め込み易いと共に、締め込み後に結び具からチチ輪付きの糸を取り外し易い。
【００１５】
例えば、結び具の先端側の係止部を第１係止部とし、基端側の係止部を第２係止部とし、第１係止部に大まかなチチ輪の緩い結び目を、また前記第２係止部に第２環状部をそれぞれ係止して使用する場合を考える。この場合、結び具と糸の端部とを、反対方向に引っ張って使用される。その際、前記第２環状部を係止する第２係止部の先端部は、前記針金状部材又は棒状体の基部側に向かって所定角度で折れ曲がるよう傾斜して形成されているので、結び目を閉める際に、結び具から糸が外れるおそれはない。つまり、この場合、第２係止部は、引っ張り方向に対して逆向き状に傾斜されているので、前記第２環状部が第２係止部から外れることなく、前記緩い結び目を確実かつ強固に締め込むことができる。
【００１６】
そして、以上の締め込みにより前記第１係止部で形成される堅い結び目と第２係止部で形成されるループ部（チチ輪本体）を各係止部から取り外す場合は、第２係止部の基端部（折れ曲がり部）を中心として、堅い結び目の側を第１係止部の傾斜方向に沿って持ち上げることより、第１係止部から堅い結び目を容易に取り外すことができる。
【００１７】
しかも、第１係止部と同方向に傾斜された第２係止部に第２環状部は係止されたままで、第１係止部からループ部を取り外すことができる。つまり、第２環状部が第２係止部から取り外れることなく、堅い結び目だけが第１係止部から取り外される。よって、第２環状部のみを第２係止部に係止された状態にでき、その状態で糸の一端を引っ張ることで、第１係止部が挿入されていた部分の隙間を埋めて一層強固な結び目にすることができる。そして、その後、第２係止部から第２環状部を取り外せばよい。このように、前記チチ輪が形成された釣糸の結び具からの取外し作業も確実かつ容易に行うことができる。
【００１８】
【発明の実施の形態】
以下、本発明のチチ輪結び具の一実施例について、図面を参照しつつ更に詳細に説明する。
【００１９】
図１〜図３は、本発明のチチ輪結び具の第１実施例を示す図であり、図１は平面図、図２は正面図、図３は右側面図である。
この実施例のチチ輪結び具は、略円柱形状のツマミ部１と、これの一端面（先端面）から先端側に突出するよう設けられるパイプ状の取付部１０と、この取付部１０に取り付けられる針金状部材２とからなる。
【００２０】
針金状部材２には、先端部が略Ｌ字形状に折り曲げられて第１係止部２１が形成される一方、基端側（取付部１０の側）には、前記第１係止部２１から所定間隔だけ離れた位置に、略Ｕ字形状に二つ折りされて第２係止部２２が形成されている。このように、各係止部２１，２２は、それぞれ針金状部材２を折り曲げることにより形成されている。すなわち、針金状部材２の中間部に、針金状部材２の径方向外側に突出して第２係止部２２が形成されると共に、針金状部材２の先端部が略Ｌ字形状に折れ曲げられることで第１係止部２１が形成されている。なお、第１係止部２１と第２係止部２２とは、同一平面内に配置されるよう形成されている。
【００２１】
ところで、前記各係止部２１，２２は、その先端側に行くに従って取付部１０の側に傾斜するよう形成されている。図示例では、取付部１０や針金状部材２の軸方向に対して、所定角度（約９０°以下、例えば約５０〜８０°程度）で同方向に傾斜して形成されている。
【００２２】
このような構成の針金状部材２は、その基端部が、パイプ状の取付部１０に差し込まれて固定される。そして、取付部１０の基端部が、ツマミ部１の先端面に取り付けられて固定されている。なお、図示例のツマミ部１は、略円柱形状とされ、その外周面には略円筒状の窪みが形成されて持ち易くされている。
【００２３】
次に、この第１実施例の結び具を用いて、釣糸３の端部にチチ輪３４を作るときの手順を、図４に基づいて説明する。
チチ輪３４を作るときには、先ず、図４（ａ）に示すように、釣糸３を２重に折り返して、この２重糸部分で円弧を形成するよう折り曲げて、２重糸部分の折り返し部３ａ側を基端側３５とクロスさせる。これにより、２重糸による環状体からなる第１環状部３１と、前記クロス部を介して前記第１環状部３１に隣接して形成され、前記２重糸の折り返し部３ａ側にて形成された環状体からなる第２環状部３２との２つの環状部３１，３２が形成される。
【００２４】
この後、同図（ａ）及び（ｂ）に示すように、前記クロス部を固定しつつ、第１環状部３１と第２環状部３２とを相対的に逆方向に一回転ねじる。すなわち、第２環状部３２を固定しつつクロス部を更にねじる方向に、第１環状部３１を一回転させる。これにより、クロス部において、第１環状部３１と第２環状部３２とが確実に分けられることになる。
【００２５】
次に、同図（ｃ）及び（ｄ）に示すように、第２環状部３２を第１環状部３１内を通して外方に引き出す。なお、第１環状部３１から第２環状部３２を引き出す際に、クロス部の縒りが戻らない方向に引き出さなければならない。つまり、図示例では、第１環状部３１の奥から手前側に第２環状部３２を引き出さなければならない。
【００２６】
なお、この作業は、従来通り手作業で行ってもよいが、本実施例の結び具を用いることで作業を容易にすることもできる。図５においては、結び具を用いた作業を示している。結び具を使用する場合は、同図（ｃ１）に示すように、前記第１環状部３１及び第２環状部３２に針金状部材２を挿入して、その第２係止部２２を第２環状部３２に引っ掛けて係止させた後、同図（ｃ２）及び（ｃ３）に示すように、この係止状態で針金状部材３を第１環状部３１から挿入方向と逆方向に引き戻すことにより行われる。
以上の作業により、この引き出された第２環状部３２をチチ輪本体として、緩い結び目３３を有する大まかなチチ輪３４が形成されることになる。
【００２７】
その後、図４ないし図５の各（ｄ）及び（ｅ）に示すように、以上にようにして得られた大まかなチチ輪３４の緩い結び目（なお、結び目は略８の字となっているがその内、図４では第２環状部３２に近い方の穴）３３を前記針金状部材２の第１係止部２１に、また第２係止部２２に第２環状部３２をそれぞれ係止させる。そして、その状態で、ツマミ部１と、緩い結び目３３の外方に位置する糸の一方又は両方を外方に引っ張って、第１係止部２１に係止された緩い結び目３３を強く締め込む。
【００２８】
なお、ループ部３６（第２環状部３２）を係止する第２係止部２２は、その先端側に行くに従ってツマミ部１の取付部１０側に向かって所定角度で傾斜されている。つまり、第２係止部２２は、釣り糸の基部側３５の引っ張り方向に対して逆向き状に傾斜されている。従って、締め込み時には、前記ループ部３６が第２係止部２２から取り外れることなく、前記緩い結び目３３が確実かつ強固に締め込まれて堅い結び目３７が得られる。
【００２９】
その後、結び具の各係止部２１，２２から釣糸３の全体を後述するようにして取り外す。これにより、図４（ｇ）や図５（ｇ）に示すように、偏平に二つ折りした時の長さが各係止部２１，２２間の長さに相当する大きさとされたループ部（チチ輪本体）３６と、堅い結び目３７とを有するチチ輪３４が形成される。
【００３０】
そして、堅い結び目３７の外側に位置する前記基部側３５の遊端側３５ａ（図（ｇ）において仮想線で示す部分）は、水中などでの抵抗を少なくするため、堅い結び目３７の近くから切り取る。
【００３１】
以上のとおり、本発明のチチ輪結び具を用いて作業することで、水中や空気中での抵抗が少なくでき、また常に所定大きさのチチ輪３４を正確、且つ簡単に作ることができる。
【００３２】
ところで、各係止部２１，２２間の長さが異なる複数種類の結び具を用意することにより、各種の魚釣り用仕掛けに最適な径を有する正確なチチ輪３４を得られる。この場合、各結び具のツマミ部１を色分けしておくことで、係止部２１，２２間の長さの把握を容易にすることができて便利である。
【００３３】
チチ輪３４を形成した後、これを各係止部２１，２２から取り外すとき、これら係止部２１，２２はそれぞれ針金状部材２に対し取付部１０側に向かって同方向に所定角度傾斜して設けられているので、第２係止部２２の基端部を中心として、堅い結び目３７の側を第１係止部２１の傾斜方向に沿って持ち上げることより、堅い結び目３７を第１係止部２１から容易に取り外すことができる。堅い結び目３７を第１係止部２１から取り外すことで、ループ部３６も第２係止部２２から容易に取り外すことができる。よって、前記チチ輪３４が形成された釣糸３の結び具からの取外し作業を確実かつ容易に行える。
【００３４】
なお、前記ループ部３６は第１係止部２１と同方向に傾斜された第２係止部２２に係止されているので、ループ部３６を第２係止部２２から取り外すことなく、まず、堅い結び目３７だけが第１係止部２１から取り外れることになる。つまり、前記ループ部３６を第２係止部２２に係止しただけの状態にできる。よって、前記ループ部３６を第２係止部２２に係止した状態で、前記基部側３５を引っ張りながら持ち上げると、堅い結び目３７が第１係止部２１から外れたとき、堅い結び目３７の中心に形成されていた第１係止部２１の径に相当する空隙部分がなくなって、堅い結び目３７がさらに堅く締め込まれることになる。
【００３５】
図６〜図８は、本発明のチチ輪結び具の第２実施例を示す図であり、図６は平面図、図７は正面図、図８は右側面図である。
この実施例のチチ輪結び具は、所定間隔に目盛４０が付された平板部材からなる棒状体４と、この棒状体４の長手方向に沿ってスライド自在に保持されるスライド部材５とを備えている。スライド部材５は、略直方体形状のブロック片から構成され、このブロック片には、下端面に開口して略Ｔ字形状のスライド溝が、左右方向に貫通して形成されている。そして、このスライド溝の上方幅広部に、平板状の棒状体４が嵌め込まれて設けられる。これにより、板状の棒状体４の長手方向に沿って、スライド部材５が移動可能に保持される。
【００３６】
スライド部材５には、板状の棒状体４の幅方向に沿って進退可能に、ねじ状の固定子５０が設けられている。固定子５０は軸部５０ａを有し、その軸部５０ａがスライド部材５にねじ込まれている。そして、固定子５０は、基端部に設けられた頭部を回転操作することで、板状の棒状体４の幅方向に沿って進退可能とされている。そして、軸部５０ａの先端部をスライド部材５の側端部（幅方向一端面）に当接するよう固定子５０をねじ込むことで、スライド部材５を棒状体４の任意の位置に固定可能としている。
【００３７】
ところで、板状の棒状体４の先端部には、前記第１実施例の第１係止部２１に相当する第１係止部４１が設けられる一方、スライド部材５には、前記第１実施例の第２係止部２２に相当する第２係止部５１が設けられている。なお、図中、符号４２は、前記棒状体４における第１係止部４１とは反対側の他端部に設けられたリングで、これを釣道具入れやリュックなどに取り付けることにより結び具の携帯を便利にしたり、結び具の紛失を防止したりすることができる。
【００３８】
この第２実施例の結び具を用いる場合も、前記第１実施例の結び具の場合と同様に、常に所定大きさのチチ輪３４を正確に簡単に作れる。特に、この第２実施例の結び具によれば、釣り人が希望する各種大きさのチチ輪３４が正確に簡単に作れる。つまり、前記棒状体４に付した目盛４０を確認しながらスライド部材５を摺動させ、これら両者に設けた各係止部４１，５１間の長さを希望するチチ輪３４の大きさに調整した後、固定子５０でスライド部材５を棒状体４に固定する。この後は第１実施例の場合と同様にすることにより、各係止部４１，５１で希望する所定大きさのチチ輪３４が作れる。
【００３９】
また、この第２実施例では、棒状体４にスライド部材５が摺動・固定可能に支持され、このスライド部材５の摺動により各係止部４１，５１間の長さを自由に変えられるので、第１実施例の場合のように各係止部間の長さが異なる複数種類の結び具を用意することなく、１つの結び具だけで各種の魚釣り用仕掛けに最適な径の異なるチチ輪を正確に簡単に作ることができる。
【００４０】
図９〜図１１は、この発明のチチ輪結び具の第３実施例を示す図であり、図９は平面図、図１０は正面図、図１１は右側面図である。
この実施例の結び具は、前記第２実施例の結び具の棒状体４を平板状から丸棒状とし、これに合わせて、スライド部材５の形状も円筒状としたものであり、その他の構成は前記第２実施例と同様である。
【００４１】
この実施例の場合、丸棒状の棒状体４に、円筒状のスライド部材５が外嵌されて構成され、棒状体４の長手方向に沿ってスライド部材５をスライド可能に構成している。そして、棒状体４に対するスライド部材５の固定は、スライド部材５の外周面から径方向に進退可能に螺合されたネジからなる固定子５０の先端部を、棒状体４の外周面に押圧するようねじ込むことにより行われる。なお、棒状体４の下端面には、棒状体４の長手方向に沿って略コ字形状の溝が下方に開口して形成されており、この溝に固定子５の軸部５０ａの先端部を入れることで、棒状体４に対してスライド部材５が回り止めされ、棒状体４側の第１係止部４１とスライド部材５側の第２係止部５１とが同一平面内に配置されることになる。
この実施例の場合にも、前記各実施例の場合と同様の作用効果が得られる。
【００４２】
図１２は、この発明のチチ輪結び具の第４実施例を示す断面図である。
この実施例の結び具は、基本的には前記第２実施例や第３実施例と同様であるが、前記第３実施例の丸棒状の棒状体４を更に細長い針金状部材から構成する一方、前記第３実施例のスライド部材５の長手寸法を十分に引き延ばしてパイプ状としたものである。
【００４３】
すなわち、この実施例では、細長いパイプからなるスライド部材５の先端部に、細長い針金状部材からなる棒状体４が長手方向に進退可能に差し込まれて構成されている。そして、細長い針金状部材からなる棒状体４の先端部に、第１係止部４１が屈曲形成される一方、細長いパイプからなるスライド部材５の先端部に、第２係止部５１が設けられている。また、パイプ５の外周面下部に配置されたネジ式の固定子５０をねじ込むことで、パイプ５に針金状部材４を押圧して、両部材の位置決めがなされる構成とされている。
【００４４】
図１３は、以上のようにして得られるチチ輪３４を用いた魚釣り用仕掛けの一例を示している。この仕掛けは、釣竿６０に結着する天井糸６１の下端部と道糸６２の上端部にチチ輪３４を作り、また、道糸６２の下端部と釣針６３が取り付けられたハリス６４の上端部にチチ輪３４を作り、これらチチ輪３４を介して天井糸６１と道糸６２、及び道糸６２とハリス６４を互いに接続している。これらの接続は何れの場合も同様であるので、道糸６２とハリス６４を接続する場合について説明する。先ず、ハリス６４側のチチ輪３４を道糸６２側のチチ輪３４に挿入し、この挿入側のチチ輪３４にハリス６４を釣針６３側から通過させて、各チチ輪３４を締め込むことにより、道糸６２とハリス６４を互いに接続させる。このようなチチ輪による接続は、各糸同士の接続作業を簡単かつ強固に行え、また接続を解除するときも容易に行える。なお、同図中、符号６５は道糸６２に取り付けられた浮子である。
【００４５】
また、以上のチチ輪３４は前述した結び具を用いて、所定の大きさに正確に形成されるので、このチチ輪３４を介して各糸同士を接続することにより、釣り人が希望する所定長さの仕掛けが正確に作れる。また、チチ輪３４の部分は糸が２重構造となるにも係わらず、このチチ輪３４は所定大きさに形成できるので、これが水中に沈められて使用される場合でも、また仕掛けを水中に投げ入れる際の空気中においても、チチ輪部分の抵抗が必要以上に大きくなることはない。このため感度の良い仕掛けが得られる。
【００４６】
なお、本発明のチチ輪結び具は、上記実施例の構成に限らず、適宜変更可能である。
例えば、前記第１実施例においては、第１係止部２１と第２係止部２２との離間距離に合わせて複数の結び具を用意する例について説明したが、針金状部材２に複数個の第２係止部２２を所定間隔で屈曲形成して対応してもよい。つまり、第１係止部２１は共通にして、複数個の第２係止部２２の内のいずれに糸を引っ掛けるかにより、チチ輪の大きさを調整するよう構成してもよい。
【００４７】
また、前記第２実施例及び第３実施例では、棒状体４の長手方向に沿ってスライド部材５をスライド可能に保持し、任意の位置にて両部材４，５の位置決めができる例について説明したが、スライド部材５は棒状体４に対しスライド不能であってもよい。この場合、棒状体４の長手方向の所定の複数位置において、スライド部材５を着脱可能に構成する。つまり、棒状体４から一旦スライド部材５を取り外した後、所要の箇所にスライド部材５を棒状体４に嵌め込んで使用するよう構成してもよい。
【００４８】
【発明の効果】
以上のように、本発明のチチ輪結び具によれば、所定大きさのチチ輪を正確かつ簡単に作ることができる。
【図面の簡単な説明】
【図１】本発明のチチ輪結び具の第１実施例を示す平面図である。
【図２】図１の結び具の正面図である。
【図３】図１の結び具の右側面図である。
【図４】図１の結び具を用いて釣り糸にチチ輪を作るときの手順を示す図である。
【図５】図１の結び具を用いて釣り糸にチチ輪を作るときの手順の他の例を示す図である。
【図６】本発明のチチ輪結び具の第２実施例を示す平面図である。
【図７】図６の結び具の正面図である。
【図８】図６の結び具の右側面図である。
【図９】本発明のチチ輪結び具の第３実施例を示す平面図である。
【図１０】図９の結び具の正面図である。
【図１１】図９の結び具の右側面図である。
【図１２】本発明のチチ輪結び具の第４実施例の一部を示す断面図である。
【図１３】チチ輪を用いて製作された魚釣り用仕掛けの一例を示す図である。
【符号の説明】
１  ツマミ部
２  針金状部材
３  釣糸
４  棒状体
５  スライド部材
２１，４１  第１係止部
２２，５１  第２係止部
３１  第１環状部
３２，３６  第２環状部（ループ部，チチ輪本体）
３３，３７  結び目
３４  チチ輪
４０  目盛
【図１】
0004180756.tif 000002
【図２】
0004180756.tif 000003
【図３】
0004180756.tif 000004
【図４】
0004180756.tif 000005
【図５】
0004180756.tif 000006
【図６】
0004180756.tif 000007
【図７】
0004180756.tif 000008
【図８】
0004180756.tif 000009
【図９】
0004180756.tif 000010
【図１０】
0004180756.tif 000011
【図１１】
0004180756.tif 000012
【図１２】
0004180756.tif 000013
【図１３】
0004180756.tif 000014